(57)【要約】【課題】装着対象物に装着されたときの装着位置がずれにくい装着具を提供する。【解決手段】装着具１は、基体部３０、アーム連結部１５、及び装着具固定部４０を備える。基体部３０は、アーム連結部１５が設けられる基部３３と、基部３３から左側に突出する第一壁部３１と、基部３３から左側に第一壁部３１よりも長く突出する第二壁部３２とを備える。アーム連結部１５には、ＨＭＤと連結するアームが、第一軸１１を中心に回転可能に連結される。装着具固定部４０は、第二壁部３２から上方向に向けて延びる。装着具固定部４０が備える開口部４３は、第一軸１１の軸方向である左右方向と、上方向とに開口する。第二壁部３２は、前後方向において、アーム連結部１５よりも長い。【選択図】図３
2020061607.tif 000002
【特許請求の範囲】
【請求項１】
ヘッドマウントディスプレイが装着される装着具であって、
基部と、前記基部から一方側に延びる第一壁部と、前記第一壁部よりも長く前記一方側に前記基部から延びる第二壁部とを有する基体部と、
前記第一壁部に対して前記一方側とは反対側となる位置にて前記基部に配置され、前記ヘッドマウントディスプレイに連結されるアームが、前記第一壁部と前記第二壁部の間を通る第一軸を中心に回転可能に連結されるアーム連結部と、
前記第二壁部から前記第一壁部に向かう第一方向に向けて前記第二壁部から延びる装着具固定部と
を備え、
前記装着具固定部は、
前記第一軸の軸方向と前記第一方向と直交する所定方向において前記第一軸よりも片方向側に配置された第一部位と、
前記所定方向において前記第一軸よりも、前記片方向とは反対方向側に配置された第二部位と、
前記第一部位と前記第二部位との間において、前記軸方向と前記第一方向とに開口する開口部とを備え、
前記装着具固定部は、前記所定方向において、前記アーム連結部よりも長いことを特徴とする装着具。
【請求項２】
トラス形状を呈し、前記第二壁部と前記装着具固定部とを連結する連結部を備えることを特徴とする請求項１に記載の装着具。
【請求項３】
前記第二壁部と前記装着具固定部とを連結し、前記所定方向に沿って間隔を空けて配置された複数の連結部を備えることを特徴とする請求項１に記載の装着具。
【請求項４】
前記所定方向において、前記装着具固定部の両端部は、前記第二壁部の両端部に対して外側に配置されることを特徴とする請求項１から３のいずれかに記載の装着具。
【請求項５】
前記連結部は、前記開口部よりも前記第一方向とは反対方向側に配置され、且つ、前記所定方向において前記装着具固定部の両端部よりも内側に配置されることを特徴とする請求項２又は３に記載の装着具。
【請求項６】
前記第一部位と前記第二部位は、帽体の内側にて互いに対向して配置された一対の対向部の内側に選択的に差し込まれた状態で、前記帽体に押し当たることを特徴とする請求項１から５のいずれかに記載の装着具。
【請求項７】
前記第一壁部は、
前記基部から前記一方側に延びる延設部と、
前記延設部から前記第二壁部に向けて突出する突起部と
を備えることを特徴とする請求項１から６のいずれかに記載の装着具。
【請求項８】
前記第一部位と前記第二部位とは、前記第一軸を間にして前記所定方向に互いに対向する一対の対向面を備え、一対の前記対向面により前記開口部を形成していることを特徴とする請求項１から７のいずれかに記載の装着具。
【請求項９】
前記一対の対向面は、前記第一軸を基準に互いに対称な位置に配置されることを特徴とする請求項８に記載の装着具。
【請求項１０】
前記基体部は、
前記基部と、前記第一壁部と、前記基部から前記一方側に突出する爪部と、前記第一壁部から前記第二壁部に向けて延びる特定壁部とを有する第一基体部と、
前記基部と前記特定壁部との間に配置された配置基部と、前記配置基部から前記一方側に延びる前記第二壁部とを有し、前記第一基体部が離脱可能に装着される第二基体部と
を備え、
前記配置基部は、前記所定方向に沿って並び、互いに連結された第一板状部及び第二板状部を備え、
前記第一板状部及び前記第二板状部は、ぞれぞれ、前記一方側とは反対側に開口する係合部を備え、
前記爪部が、前記第一板状部の前記係合部と、前記第二板状部の前記係合部とに対して選択的に係合することで、前記第一基体部は前記第二基体部に装着されることを特徴とする請求項１から９のいずれかに記載の装着具。
【請求項１１】
前記第一板状部と前記第二板状部は、それぞれ、前記一方側とは反対側に前記第二基体部から突出し、且つ前記係合部を間にして並ぶ一対の凸部を備え、
前記一対の凸部の一方から他方に至る最短の長さは、前記所定方向における前記基部の長さよりも長いことを特徴とする請求項１０に記載の装着具。
【請求項１２】
前記第二板状部は、前記第一板状部から、前記所定方向の片方向側且つ前記一方側に向けて延びることを特徴とする請求項１０又は１１に記載の装着具。
【発明の詳細な説明】
【技術分野】
【０００１】
本発明は、ヘッドマウントディスプレイが装着される装着具に関する。
【背景技術】
【０００２】
特許文献１に開示の装着具には、ヘッドマウントディスプレイが装着される。この装着具は、装着対象物の一例であるヘルメットに、バンドによって装着される。
【先行技術文献】
【特許文献】
【０００３】
【特許文献１】特開２０１８−７０５０号公報
【発明の概要】
【発明が解決しようとする課題】
【０００４】
しかしながら、ヘルメットの外表面は、位置によって曲率が異なる楕円形状であることが多い。従って、装着具がヘルメットに装着される位置によっては、装着具がヘルメットに強固に装着されない可能性がある。従って、ヘルメットに対する装着具の装着位置がずれる結果、ヘッドマウントディスプレイが位置ずれする可能性がある。
【０００５】
本発明の目的は、装着対象物に装着されたときの装着位置がずれにくい装着具を提供することである。
【課題を解決するための手段】
【０００６】
本発明に係る装着具は、ヘッドマウントディスプレイが装着される装着具であって、基部と、前記基部から一方側に延びる第一壁部と、前記第一壁部よりも長く前記一方側に前記基部から延びる第二壁部とを有する基体部と、前記第一壁部に対して前記一方側とは反対側となる位置にて前記基部に配置され、前記ヘッドマウントディスプレイに連結されるアームが、前記第一壁部と前記第二壁部の間を通る第一軸を中心に回転可能に連結されるアーム連結部と、前記第二壁部から前記第一壁部に向かう第一方向に向けて前記第二壁部から延びる装着具固定部とを備え、前記装着具固定部は、前記第一軸の軸方向と前記第一方向と直交する所定方向において前記第一軸よりも片方向側に配置された第一部位と、前記所定方向において前記第一軸よりも、前記片方向とは反対方向側に配置された第二部位と、前記第一部位と前記第二部位との間において、前記軸方向と前記第一方向とに開口する開口部とを備え、前記装着具固定部は、前記所定方向において、前記アーム連結部よりも長いことを特徴とする。
【０００７】
上記構成によれば、基部、第一壁部、第二壁部、及び装着具固定部の間に、装着対象物が入り込むことによって、第一部位と第二部位は弾性変形した状態で装着対象物に押し当たり、装着具は装着対象物に装着される。装着具固定部が所定方向においてアーム連結部よりも長いので、装着具固定部は、装着対象物に安定的に接触できる。よって、装着対象物に装着されたときの装着位置がずれにくい装着具が実現する。これにより、ヘッドマウントディスプレイの視認性も向上する。
【０００８】
前記装着具は、トラス形状を呈し、前記第二壁部と前記装着具固定部とを連結する連結部を備えてもよい。装着具が連結部を備えることで、装着具固定部は、第一軸の軸線方向に変形しにくい。弾性変形したときの第一部位と第二部位の復元力が強くなる。よって、装着具は装着対象物に強固に装着されることができる。
【０００９】
前記装着具は、前記第二壁部と前記装着具固定部とを連結し、前記所定方向に沿って間隔を空けて配置された複数の連結部を備えてもよい。装着具が複数の連結部を備えることで、装着具固定部は、第一軸の軸線方向に変形しにくい。よって、装着具は装着対象物に強固に装着されることができる。
【００１０】
前記装着具は、前記所定方向において、前記装着具固定部の両端部は、前記第二壁部の両端部に対して外側に配置されてもよい。所定方向における装着具固定部の両端部が、第二壁部から離れるので、装着具固定部は、装着対象物の形状に倣って変形できる。よって、装着具は装着対象物に安定的に装着されることができる。
【００１１】
前記装着具において、前記連結部は、前記開口部よりも前記第一方向とは反対方向側に配置され、且つ、前記所定方向において前記装着具固定部の両端部よりも内側に配置されてもよい。連結部が、所定方向における装着具固定部の両端部から離れるので、装着具固定部は、装着対象物の形状に倣って変形できる。よって、装着具は、装着対象物に安定的に装着されることができる。
【００１２】
前記装着具において、前記装着具固定部は、前記所定方向において前記開口部よりも片方向側に配置された第一部位と、前記所定方向において前記開口部よりも、前記片方向とは反対方向側に配置された第二部位とを備え、前記第一部位と前記第二部位は、いずれも、帽体の内側にて互いに対向して配置された一対の対向部の内側に差し込まれた状態で、前記帽体に押し当たってもよい。第一部位と第二部位のいずれかが選択的に、一対の対向部の内側に差し込まれるので、開口部が対向部の一部を挟み込む状態で装着具が固定されるため、装着具のずれが防止される。さらに、装着対象物の一例である帽体に対する装着具の装着位置は第一部位と第二部位のいずれの位置で固定するか選択的に切替可能となる。よって、装着具の使い勝手は向上する。
【００１３】
前記装着具は、前記第一壁部は、前記基部から前記一方側に延びる延設部と、前記延設部から前記第二壁部に向けて突出する突起部とを備えてもよい。第一壁部が突起部を備えることで、第一壁部は装着対象物に接触し易くなる。よって、装着具は装着対象物に安定的に装着されることができる。
【００１４】
前記装着具において、前記開口部は、前記第一軸を間にして前記所定方向に互いに対向する一対の対向面を備え、一対の前記対向面により前記開口部を形成されてもよい。開口部が第一軸よりも第一方向側に配置される場合に比べて、装着具固定部の一定の変形のし易さが確保される。
【００１５】
前記装着具において、前記一対の対向面は、前記第一軸を基準に互いに対称な位置に配置されてもよい。開口部に対して所定方向に片方向側となる第一部位と、開口部に対して片方向とは反対方向側となる第二部位とは、それぞれ接触する位置における非接触部の形状が異なっていても、常に接触することが可能であり、装着対象物に装着されることができる。よって、装着具は、装着対象物に安定的に装着できる。
【００１６】
前記装着具において、前記基体部は、前記基部と、前記第一壁部と、前記基部から前記一方側に突出する爪部と、前記第一壁部から前記第二壁部に向けて延びる特定壁部とを有する第一基体部と、前記基部と前記特定壁部との間に配置された配置基部と、前記配置基部から前記一方側に延びる前記第二壁部とを有し、前記第一基体部が離脱可能に装着される第二基体部とを備え、前記配置基部は、前記所定方向に沿って並び、互いに連結された第一板状部及び第二板状部を備え、前記第一板状部及び前記第二板状部は、ぞれぞれ、前記一方側とは反対側に開口する係合部を備え、前記爪部が、前記第一板状部の前記係合部と、前記第二板状部の前記係合部とに対して選択的に係合することで、前記第一基体部は前記第二基体部に装着されてもよい。爪部が第一板状部の係合部と係合する位置と、爪部が第二板状部の係合部と係合する位置とのいずれの位置でも、第一基体部は第二基体部に装着可能となる。つまり、装着対象物に安定的に装着された状態の装着具を着脱することなく、装着対象物に対する相対的な装着位置を容易に切り替えることができる。
【００１７】
前記装着具は、前記第一板状部と前記第二板状部は、それぞれ、前記一方側とは反対側に前記第二基体部から突出し、且つ前記係合部を間にして並ぶ一対の凸部を備え、前記一対の凸部の一方から他方に至る最短の長さは、前記所定方向における前記基部の長さよりも長くてもよい。装着具が一対の凸部を備えることで、使用者は、爪部が係合部と係合できる位置に基部を配置させ易くなる。よって、位置決めが容易であり、かつ安定的に固定することができるため、ヘッドマウントディスプレイの視認性が高くなる。
【００１８】
前記装着具において、前記第二板状部は、前記第一板状部から、前記所定方向の片方向側且つ前記一方側に向けて延びてもよい。第一基体部の第二基体部に対する装着位置が切り替わっても、ヘッドマウントディスプレイは使用者の目から離れにくい。よって、位置決めが容易であり、かつ安定的に固定されるため、ヘッドマウントディスプレイの視認性が高くなる。
【図面の簡単な説明】
【００１９】
【図１】ＨＭＤ１０、帽体５、及び第一実施例の装着具１の斜視図である。
【図２】装着具１の斜視図である。
【図３】装着具１の別の斜視図である。
【図４】帽体５に装着される装着具１の斜視図である。
【図５】ＨＭＤ１０、帽体５、及び第二実施例の装着具２の斜視図である。
【図６】カバー５９を省略した装着具２の斜視図である。
【図７】カバー５９を省略した装着具２の別の斜視図である。
【図８】第三実施例の装着具３の斜視図である。
【図９】第一基体部１１０の斜視図である。
【図１０】第一基体部１１０を省略した装着具３の斜視図である。
【図１１】第一基体部１１０を省略した装着具３の別の斜視図である。
【図１２】第二特定装着位置に装着された第一基体部１１０の斜視図である。
【発明を実施するための形態】
【００２０】
本発明の第一実施例である装着具１を説明する。装着具１には、ヘッドマウントディスプレイ（Head Mounted Display、以下、「ＨＭＤ」という。）１０が装着される。ＨＭＤ１０は、虚像投影型のＨＭＤである。ＨＭＤ１０の構成は、例えば、特開２０１６−６３２７０号公報に開示されているため、本明細書ではその詳説を省略する。ＨＭＤ１０は、二次元的に走査された光をユーザの網膜上に投影する網膜走査型のＨＭＤであってもよい。ＨＭＤ１０の差込口１０Ａは、ケーブル９３（図６参照）を介して、コントロールボックス９２（図６参照）と接続する。尚、ケーブル９３とコントロールボックス９２は、後述の第二実施例において図面を使って説明されるが、第一実施例では図示されていない。第一実施例のコントロールボックス９２は、例えば、使用者の衣服に装着される（図示略）。
【００２１】
図１を参照し、装着具１の概要を説明する。装着具１は、使用者の頭に着用される帽体５に装着される。帽体５は、装着具１に装着される装着対象物の一例であり、本実施形態では産業用ヘルメット（いわゆる、保護帽）である。帽体５は、被覆部５Ａ、張出部５Ｂ、及び、内保持部５Ｃ（図４参照）を備える。被覆部５Ａは、略半球状の板状部材であり、使用者の頭部を覆う。被覆部５Ａの開口端は略円形状であるが、略楕円形状であってもよい。被覆部５Ａの外表面には、伸縮可能なバンド６が伸張した状態で装着される。張出部５Ｂは、被覆部５Ａの開口端から外側に向けて張り出す。内保持部５Ｃ（図４参照）は、被覆部５Ａの開口端の周方向に沿って、被覆部５Ａの内周面に等間隔に配置される。各内保持部５Ｃは、被覆部５Ａの頂部から開口端に向かう方向に沿って、開口する。内保持部５Ｃは、互いに対向する一対の対向部５Ｄを備える。内保持部５Ｃは、被覆部５Ａの内側に配置されたハンモック（図示略）を、一対の対向部５Ｄの間で保持する。ハンモックは、互いに連結した複数の帯状部材を主に備えており、使用者の頭部を保護する機能を有する。
【００２２】
帽体５に装着された装着具１は、第一ボールジョイント１９を介して、アーム９の一端部と連結する。アーム９の一端部は、左右方向に延びる第一軸１１（図２参照）を中心に回転可能である。アーム９の他端部は、第二ボールジョイント２０を介して、ＨＭＤ１０と連結する。ＨＭＤ１０は、所定方向に延びる第二軸（図示略）を中心に回転可能である。ＨＭＤ１０は、使用者の片目（図１では、使用者にとっての左目）に向けて画像光を照射可能である。第一ボールジョイント１９の構成と、第二ボールジョイント２０の構成は、例えば、特開２０１６−６３２７０号公報に開示されているため、本明細書では、その詳説を省略する。また、図２〜図４では、アーム９の図示を省略する。
【００２３】
図１〜図３を参照し、装着具１の構成を説明する。以下の装着具１の構成説明では、帽体５に対して図１で示す姿勢で装着された装着具１の状態を基準とする。また、以下の説明では、図中の矢印によって示した、左右方向、前後方向、上下方向を使用する。装着具１は、樹脂材料によって形成された板状の部材である。装着具１は、基体部３０、挿通部３９、アーム連結部１５、装着具固定部４０、及び複数の連結部５０を備える。これらの装着具１の構成要素は、互いに一体的に形成される。
【００２４】
図２、図３に示すように、基体部３０は、背面視で略Ｃ字状に形成される。基体部３０は、基部３３、第一壁部３１、及び、第二壁部３２を備える。基部３３は上下方向に延びる。第一壁部３１は、基部３３の上端から左側に延びる。また、第一壁部３１は左右方向よりも前後方向に長い。第二壁部３２は、基部３３の下端から第一壁部３１よりも長く左側に延びる。また、第二壁部３２は左右方向よりも前後方向に長い。第二壁部３２の左部は、下方から張出部５Ｂに接触する。第一壁部３１は、延設部３４と突起部３５を備える。延設部３４は基部３３の上端から左側に延びる。突起部３５は、延設部３４から第二壁部３２に向けて突出している。突起部３５の下端部は、下方に向けて湾曲する。突起部３５の下端部は、上方から張出部５Ｂに線接触する（図４参照）。
【００２５】
挿通部３９は、第一壁部３１よりも上側に設けられ、正面視で略Ｃ字状であり、前後方向に延びる。挿通部３９は、左右方向に開口する孔部３９Ａと、前後方向に開口する挿通孔３９Ｂを備える。孔部３９Ａは、バンド６（図１参照）が通過可能な形状を呈する。挿通孔３９Ｂには、挿通孔３９Ｂを通過したバンド６が配置される。伸張した状態にあるバンド６の復元力によって、挿通部３９は、帽体５の被覆部５Ａの外表面に押し当てられている。
【００２６】
アーム連結部１５は、基部３３の右面に配置される。換言すると、第一壁部３１に対して右側となる位置にて基部３３に配置される。アーム連結部１５は、右側に向けて開口する円筒体である。アーム連結部１５の外径は、第二壁部３２の前後方向長さよりも短い。る。アーム連結部１５の内側には、円筒部１６が嵌る。円筒部１６の内側には、第一ボールジョイント１９が嵌る。アーム９の回転中心となる第一ボールジョイント１９の第一軸１１は、左右方向に延び、第一壁部３１と第二壁部３２の間を通過する。
【００２７】
図３に示すように、装着具固定部４０は、第二壁部３２から第一壁部３１に向かう上方向に向けて、第二壁部３２から延びる。装着具固定部４０は、開口部４３、第一部位４１、及び、第二部位４２を備える。開口部４３は、第一軸１１の軸方向である左右方向と、第二壁部３２から第一壁部３１に向かう上方向とに開口する。本例では、開口部４３の内側領域に第一軸１１が通過しており、開口部４３の下端は第一軸１１よりも下側に配置される。開口部４３は、第一軸１１を間にして前後方向に互いに対向する一対の対向面４７によって形成される。本例の一対の対向面４７は、第一軸１１を基準に互いに対称な位置に配置される。
【００２８】
第一部位４１は、開口部４３に対して、前後方向の片方向側である後方向側に配置される。第一部位４１の上端部は、上下方向に対して傾斜しており、具体的には、上方向且つ左方向に向けて延びる。第一部位４１は、下端部を支点として、左方向に撓むことができる（矢印Ｄ１）。第二部位４２は、開口部４３に対して、前後方向の片方向側とは反対側である前方向側に配置される。第二部位４２は、第一部位４１と前後対称である。即ち、第二部位４２の上端部は、上下方向に対して傾斜しており、第二部位４２は、下端部を支点として左方向に撓むことができる（矢印Ｄ２）。第一部位４１と第二部位４２のそれぞれの前後方向長さは、帽体５の一対の対向部５Ｄの対向距離よりも短い。第一部位４１と第二部位４２のいずれか一方が、使用者の選択によって、一対の対向部５Ｄの間に差し込まれる（図４参照）。
【００２９】
第一部位４１の後端と、第二部位４２の前端は、装着具固定部４０の前後方向における両端部４８である。装着具固定部４０の両端部４８は、第二壁部３２の前後方向における両端部３２Ａよりも前後方向の外側に配置される。
【００３０】
以下、基体部３０と装着具固定部４０によって囲まれる空間を収容空間５５という。収容空間５５には、帽体５の張出部５Ｂと被覆部５Ａが収容される。張出部５Ｂは、第一壁部３１と、第二壁部３２の前端部と、第二壁部３２の後端部とのそれぞれに接触している。加えて、装着具固定部４０の第一部位４１と第二部位４２は、いずれも、下端部を支点として左方向に撓んでいる。従って、第一部位４１と第二部位４２は、いずれも、撓みに対する復元力によって被覆部５Ａの内周面に押し当たっている。
【００３１】
複数の連結部５０は、いずれも、第二壁部３２と装着具固定部４０を連結する。複数の連結部５０は、開口部４３よりも下側となる上下位置にて、前後方向に沿って等間隔に配置される。本実施形態の複数の連結部５０は、第一部位４１に連結された連結部５０と、第二部位４２に連結された連結部５０と、開口部４３の下側に配置された連結部５０とを含む。本実施形態では、複数の連結部５０は、第二壁部３２の両端部３２Ａよりも前後方向の内側に配置される。即ち、最も後側に配置された連結部５０は、第二壁部３２の後端部から前側に離れており、最も前側に配置された連結部５０は、第二壁部３２の前端部から後側に離れている。また、各連結部５０は、トラス形状を呈しており、より具体的には、正面視で三角形状となる中実の板状を呈している。連結部５０は、第一壁部３１の延設部３４を向く面５０Ａを有する。面５０Ａは平面状に形成される。
【００３２】
図３、図４を参照し、装着具１を帽体５に装着する方法を説明する。装着具１の装着前、アーム連結部１５にはアーム９（図１参照）の一端部が連結しており、アーム９の他端部にはＨＭＤ１０（図１参照）が連結している。
【００３３】
使用者は、第一部位４１と第二部位４２との両方を摘まんで、左方向に撓ませる（図３の矢印Ｄ１、Ｄ２）。使用者は、撓ませた第一部位４１を一対の対向部５Ｄの間に下方から差し込む。このとき、一対の対向部５Ｄの一方は開口部４３に差し込まれる。同時に、使用者は、張出部５Ｂと被覆部５Ａを収容空間５５に上方から進入させる。第二壁部３２のうちで複数の連結部５０よりも右側にある部位は、下側から張出部５Ｂに接触し、突起部３５は上側から張出部５Ｂに接触する（図５参照）。使用者が、第一部位４１と第二部位４２から手を離すと、第一部位４１と第二部位４２は、それぞれ、その復元力によって被覆部５Ａの内周面に押し当たる。よって、第二壁部３２と突起部３５がそれぞれ張出部５Ｂに接触した状態で、装着具１は帽体５に装着される。このとき、第一部位４１が一対の対向部５Ｄの間に差し込まれているので、装着具１の前後方向における動きは規制される。従って、装着具１の前後方向における位置ずれは抑制される。使用者は、バンド６を挿通部３９の孔部３９Ａを介して挿通孔３９Ｂに挿通する。バンド６が挿通部３９を被覆部５Ａに押し当てることにより、装着具１の姿勢は更に安定化する。
【００３４】
尚、使用者は、第一部位４１に代えて第二部位４２を、一対の対向部５Ｄに差し込むこともできる（図示外）。このときの装着方法は、上記した方法と同様であるので、詳細な説明を省略する。第二部位４２が一対の対向部５Ｄに差し込まれた時であっても、一対の対向部５Ｄの他方が開口部４３に差し込まれ、張出部５Ｂは、突起部３５と第二壁部３２とに接触する。さらに、突起部３５と第二壁部３２は、張出部５Ｂに接触し、第一部位４１と第二部位４２は、いずれも被覆部５Ａに押し当たる。
【００３５】
以下の説明では、第一部位４１が一対の対向部５Ｄに差し込まれたときの装着具１の装着位置を「第一装着位置」といい（図４参照）、第二部位４２が一対の対向部５Ｄに差し込まれたときの装着具１の装着位置を「第二装着位置」という（図示外）。
【００３６】
装着具１が第一装着位置で装着されたとき、ＨＭＤ１０は使用者にとっての左目に対して前側に配置され易い。よって、使用者は、ＨＭＤ１０から照射される画像光を良好に視認し易い。一方、装着具１が第二装着位置に装着されたとき、ＨＭＤ１０は、装着具１が第一装着位置に装着された場合に比べて、右後方に配置される。従って、ＨＭＤ１０は、使用者にとっての左目に対して左右方向の外側に配置され易い。よって、使用者は、前方の光景を視認しつつ、ＨＭＤ１０から照射される画像光を視認できる。故に、使用者は、ＨＭＤ１０の使用目的に応じて、装着具１の装着位置を第一装着位置と第二装着位置との間で切り換えることができる。
【００３７】
装着具１の装着位置に関わらず、第二壁部３２と突起部３５が上下方向の外側から張出部５Ｂに接触することで、装着具１の上下方向の位置ずれは抑制される。また、装着具１の装着位置に関わらず、第一部位４１と第二部位４２のいずれか一方が一対の対向部５Ｄの間に差し込まれ、装着具１の前後方向に位置ずれは、抑制される。さらに、第一部位４１と第二部位４２が被覆部５Ａに押し当たることで、装着具１の上下方向と前後方向の位置ずれは抑制される。従って、使用者が、第一軸１１と第二軸（図示略）を中心としてＨＭＤ１０を、前後、左右、上下に移動させて位置調整する場合であっても、装着具１は位置ずれしにくい。よって、ＨＭＤ１０は、使用者による位置調整時において、装着具１の位置ずれに伴う余分な動きをすることがない。故に、使用者は、ＨＭＤ１０の位置調整を容易かつ適正に実行できることでＨＭＤ１０の視認性を高めることができる。
【００３８】
以上説明したように、装着具１が第一装着位置又は第二装着位置に装着される場合、第一部位４１又は第二部位４２が一対の対向部５Ｄに差し込まれる。このとき、帽体５の張出部５Ｂと被覆部５Ａが収容空間５５に入り込み、且つ、弾性変形した第一部位４１と第二部位４２がいずれも被覆部５Ａに押し当たる。これにより、装着具１は帽体５に装着される。アーム連結部１５の外径は、第二壁部３２の前後方向長さよりも短い。換言すると、第二壁部３２は、前後方向において、アーム連結部１５よりも長い。従って、第二壁部３２のうちで少なくとも前後方向に離れた二つの部位が、下側から帽体５に安定的に接触できる。更に、突起部３５の下端部が張出部５Ｂに上側から接触できる。これにより、張出部５Ｂに対する装着具１の位置が規定されるので、装着具１は安定的に装着される。よって、帽体５に装着されたときの装着位置がずれにくい装着具１が実現する。また、帽体５に対向部５Ｄがない場合であってもよい。具体的には、第二壁部３２と突起部３５が上下方向の外側から張出部５Ｂに接触することで、装着具１の上下方向の位置ずれは抑制される。また、第一部位４１と第二部位４２と第一壁部３１との３点で被覆部５Ａを挟み込むように接触するため、左右方向に対する装着具１の位置ずれが抑制される。第二壁部３２と突起部３５が上記のように張出部５Ｂに接触することで生じる摩擦力と、第一部位４１と第二部位４２と第一壁部３１とが上記のように被覆部５Ａに接触することで生じる摩擦力とによって、装着具１の前後方向の位置ずれは抑制される。よって、装着対象物の一例である帽体５に装着されたときの装着位置がずれにくい装着具１が実現する。位置ずれがしにくい効果により、ＨＭＤ１０の視認性も向上する。
【００３９】
複数の連結部５０は、いずれも、第二壁部３２と装着具固定部４０を連結する。従って、第一部位４１と第二部位４２は、いずれも、第一軸１１の軸方向である左右方向に沿って左側に撓みにくい。従って、装着具１が帽体５に装着される場合、使用者が手を離した第一部位４１と第二部位４２は、強固に被覆部５Ａに押し当たる。よって、装着具１は帽体５に強固に装着されることができる。特に、装着具１の装着位置が切り替わる頻度が低い使用がなされる場合においては、装着具１の強固な装着に伴ってＨＭＤ１０は位置ずれし難くなり、ＨＭＤ１０の視認性が向上する。
【００４０】
連結部５０は、前後方向に沿って複数配置される。装着具１が、複数の連結部５０を備えることで、装着具固定部４０は、第一軸１１の軸方向に沿って左側に更に撓みにくくなる。よって、装着具１は、帽体５に強固に装着されることができる。より具体的には、装着具１は上下方向にかかる力を主に突起部３５によって帽体５の張出部５Ｂに伝える。そして、ＨＭＤ１０が装着具１に連結された状態である場合、突起部３５と帽体５が接触する位置を回転中心として、装着具固定部４０が右方向に押し付けられるモーメントの力が発生する。この時、装着具固定部４０は被覆部５Ａの内周面に強く押し当てられることにより連結部５０近傍により強い力がかかり、撓みやすい状態になる。この場合であっても、連結部５０は、装着具固定部４０の特に連結部５０近傍の撓みを抑制し、張出部５Ｂが収容空間５５から抜けてしまうこと、および大きな撓みによる装着具１のガタの発生を抑制できる。
【００４１】
装着具固定部４０の両端部４８は、第二壁部３２の両端部３２Ａに対して、前後方向の外側に配置される。両端部４８は、両端部３２Ａから離れるので、左側に向けて撓み易くなる。従って、第一部位４１又は第二部位４２が被覆部５Ａに押し当たるとき、装着具固定部４０の両端部４８は、被覆部５Ａに倣った形状に変形できる。従って、装着具固定部４０が被覆部５Ａに接触し易くなるので、装着具１は帽体５に安定的に装着されることができる。
【００４２】
複数の連結部５０は、第二壁部３２の両端部３２Ａよりも、前後方向の内側に配置される。換言すると、複数の連結部５０は、前後方向において、装着具固定部４０の両端部４８よりも内側に配置される。連結部５０が、装着具固定部４０の両端部４８から離れるので、装着具固定部４０の両端部４８は、被覆部５Ａの形状に倣った形状に変形できる。よって、装着具固定部４０が被覆部５Ａに接触し易くなるので、装着具１は帽体５に安定的に装着されることができる。
【００４３】
使用者は、第一部位４１と第二部位４２のいずれかを選択的に、一対の対向部５Ｄの内側に差し込む。開口部４３がいずれかの対向部５Ｄを挟み込む状態で装着具１が固定されるため、装着具１の位置ずれが防止される。さらに、帽体５に対する装着具１の装着位置は、第一装着位置と第二装着位置とのいずれの位置で固定するか選択的に切替可能となる。よって、装着具１の使い勝手は向上する。
【００４４】
第一壁部３１は突起部３５を備える。突起部３５の下端部は、下方に湾曲しており、且つ前後方向に長い。従って、突起部３５は張出部５Ｂに線接触し易い。張出部５Ｂが、突起部３５と第二壁部３２の間で接触し易くなるので、装着具１は、帽体５に安定的に装着されることができる。
【００４５】
開口部４３を形成する一対の対向面４７は、第一軸１１を間にして互いに対向する。即ち、開口部４３は、第一軸１１に対して上側に形成されるだけでなく、第一軸１１に対して下側にも形成される。従って、開口部４３が第一軸１１に対して上側のみに配置される場合に比べて、開口部４３が大きくなる。これにより、第一部位４１と第二部位４２の一定の撓み易さが確保される。
【００４６】
一対の対向面４７は、第一軸１１を間にして、互いに対称な位置に配置される。第一部位４１と第二部位４２は、第一部位４１と第二部位４２がそれぞれ接触する被覆部５Ａの位置における帽体５の曲率が異なっていても、常に被覆部５Ａに押し当たることができる。よって、装着具１は、帽体５に対して安定的に装着できる。
【００４７】
以上説明にて、左側は本発明の「一方側」の一例である。上方向は本発明の「第一方向」の一例である。前後方向は本発明の「所定方向」の一例である。後方向は本発明の「片方向」の一例である。左右方向は本発明の「軸方向」の一例である。
【００４８】
装着具１は種々の変更が可能である。帽体５は、産業用ヘルメットである代わりに、例えば布によって形成された帽子であってもよい。装着具１は、帽体５に代えて、別の装着対象物に装着可能であってもよい。開口部４３は、第一軸１１に対して上側のみに形成されていてもよい。一対の対向面４７は、第一軸１１を基準として非対称であってもよい。第一部位４１と第二部位４２は、前後非対称であってもよい。
【００４９】
装着具１は、複数の連結部５０を備える代わりに、単一の連結部５０を備えてもよい。単一の連結部５０は、前後方向に長くてもよい。この場合、単一の連結部５０は、第一部位４１と第二壁部３２を連結し、且つ、第二部位４２と第二壁部３２を連結する。連結部５０は、トラス形状でなくてもよい。例えば、面５０Ａが平面状である代わりに、装着具固定部４０と第二壁部３２との連結位置に向けて湾曲する円弧状であってもよい。装着具固定部４０の両端部４８と、第二壁部３２の両端部３２Ａは、前後方向において互いに同じ位置に配置されてもよい。この場合、連結部５０は、装着具固定部４０の前端部と、第二壁部３２の前端部とを連結してもよいし、装着具固定部４０の後端部と第二壁部３２の後端部とを連結してもよい。
【００５０】
図５〜図７を参照し、本発明の第二実施例である装着具２を説明する。尚、第一実施例と同一の部材については、図面上で同一の符号を付与し、詳細な説明は適宜省略する。装着具２は、装着具１と同様、帽体５に装着される。
【００５１】
装着具１と同様に、装着具２は、基体部３０、アーム連結部１５、装着具固定部４０、及び、複数の連結部５０を備える。装着具２は、挿通部３９（図２参照）に代えて電装部６０を備える点で、装着具１とは異なる。  
【００５２】
電装部６０の構成を詳説する。電装部６０は、ＨＭＤ１０を作動するための器具を保持する。具体的には、電装部６０は、バッテリ９１、コントロールボックス９２、ケーブル９３を保持する。
【００５３】
図５に示すように、電装部６０は、支持板５２、カバー５９、上突出部５１、下突出部５３（図６参照）、一対の突部６１（図６参照）を備える。支持板５２は、被覆部５Ａの開口端に沿って延びる板であり、第一壁部３１の上方に配置される。
【００５４】
支持板５２には、一対の挿通部７８（図７参照）と、一対の突部６１（図６参照）とが設けられる。一対の挿通部７８は、帽体５側の支持板５２の端面に配置され、支持板５２の長手方向に沿って並ぶ。一対の挿通部７８は、夫々、左右方向に開口する孔部７８Ａと、支持板５２の長手方向に開口する挿通孔７８Ｂを備える。孔部７８Ａは、バンド６が通過可能な形状を呈する。挿通孔７８Ｂには、挿通孔７８Ｂを通過したバンド６が配置される。バンド６は、一対の挿通部７８を被覆部５Ａの外表面に押し当てる。一対の突部６１は、支持板５２から右側に向けて突出する。カバー５９（図５参照）は、一対の突部６１と、後述のコントロールボックス９２とを覆う箱状体であり、支持板５２に取り付けられる。
【００５５】
図６に示すように、上突出部５１と下突出部５３は、いずれも、支持板５２から右側に向けて突出しており、支持板５２の長手方向に沿って延びる。下突出部５３は、上突出部５１よりも長い。上突出部５１と下突出部５３は、カバー５９（図５参照）を間に挟んで、上下方向に互いに対向する。下突出部５３の前部には、上下方向に開口する挿通部５３Ａが設けられる。
【００５６】
図６、図７に示すように、上突出部５１には、バッテリ支持部６５が設けられる。バッテリ支持部６５は、板状部６３と、一対の湾曲部６４を備える。板状部６３は、上突出部５１から上方に突出する。一対の湾曲部６４は、上突出部５１から右側に向けて突出し、且つ、下側に向けて半円弧状に湾曲する。一対の湾曲部６４は、前後方向に並んでおり、バッテリ９１が嵌る。これにより、バッテリ支持部６５は、バッテリ９１を支持する。
【００５７】
図６に示すように、支持板５２のうちで上突出部５１よりも後方となる部位は、支持部５７である。支持部５７は、上突出部５１よりも後側に設けられる。支持部５７は、直方体状に形成されたコントロールボックス９２に対して、左側から対向する。支持部５７には、一対の上保持部７３と一対の下保持部７４が設けられる。上保持部７３と下保持部７４は、いずれも、鉤状に形成される。具体的には、一対の上保持部７３は、支持部５７の上部から右側に突出し、さらに互いに近接する方向に向けて折れ曲がり、一対の下保持部７４は、支持部５７の下部から右側に突出し、さらに互いに近接する方向に向けて折れ曲がる。コントロールボックス９２は、一対の上保持部７３の間と、一対の下保持部７４の間とに差し込まれている。上保持部７３と下保持部７４は、コントロールボックス９２が外れるのを阻止する。よって、コントロールボックス９２は保持される。
【００５８】
コントロールボックス９２とバッテリ９１とは、ケーブル９５によって接続されている。これにより、バッテリ９１はコントロールボックス９２に対して給電できる。また、コントロールボックス９２には、ケーブル９３が引き出されている。ケーブル９３は、一対の突部６１によって巻回されており、さらに挿通部５３Ａを通過して下側に引き出されている。巻回されたケーブル９３は、カバー５９（図５参照）によって覆われる。挿通部５３Ａから下側に引き出されたケーブル９３は、アーム９を伝って、ＨＭＤ１０の差込口１０Ａに差し込まれる。これにより、コントロールボックス９２は、ＨＭＤ１０に対して給電すると共に、各種の信号を送信できる。
【００５９】
図５に示すように、装着具２は、フック７７をさらに備える。フック７７は、下突出部５３（図６参照）の後部から帽体５の下側まで延び、さらに上側且つ帽体５の内側に向けて突出する。装着具２が、第一装着位置又は第二装着位置にて装着された場合、バッテリ９１、ＨＭＤ１０の重さによって、装着具２の後部は、浮き上がるときがある（矢印Ｅ１）。この場合であっても、フック７７が張出部５Ｂに下方から接触することにより、装着具２の後部の浮き上がりは抑制される。よって、装着具２は、安定的に帽体５に装着されることができる。
【００６０】
図８〜図１２を参照し、本発明の第三実施例となる装着具３を説明する。尚、装着具１と同様の構成については、図面上で同じ符号を付与し、詳細な説明は適宜省略する。
【００６１】
図８に示すように、装着具３は、基体部１３０、装着具固定部４０、挿通保持部２７０を備える。基体部１３０は、第一基体部１１０と第二基体部２００を備える。第一基体部１１０と第二基体部２００は、互いに別体であり、第一基体部１１０は第二基体部２００に対して着脱可能である（図８、図１２参照）。第一基体部１１０にはアーム連結部１５が配置される。尚、図１０、図１１では、第一基体部１１０の図示を省略する。
【００６２】
図９に示すように、第一基体部１１０は、基部１３３、第一壁部１３１、特定壁部１３７、爪部１３６、及び、操作部１３９を備える。これら第一基体部１１０の構成要素は、互いに一体的に形成される。基部１３３は、上下方向に延びる。基部１３３の右面には、アーム連結部１５が配置される。第一壁部１３１は、基部１３３の上端から左側に延びる。特定壁部１３７は、第一壁部１３１の左端から下側に延びる。特定壁部１３７は、基部１３３に対して平行に延びる。特定壁部１３７の下端部は、基部１３３の上下方向中心と略同じ上下位置に配置される。爪部１３６は、特定壁部１３７の下端部と略同じ上下位置にて、基部１３３から左方に向けて突出する。操作部１３９は、基部３３の左面に配置され、爪部１３６よりも下方にある。操作部１３９は、使用者が指で操作する部位である。本実施形態では、操作部１３９は、上下方向に並んだ複数のリブによって形成される。各リブは、基部１３３から左方に突出し且つ左右方向に延びる。
【００６３】
図１０に示すように、第二基体部２００は、配置基部２２０を備える。配置基部２２０は、第一板状部２２１、第二板状部２２２、及び、一対の支持部２５７を備える。第一板状部２２１と第二板状部２２２は、いずれも、被覆部５Ａ（図１参照）の開口端の径方向に厚さを有する板状であり、前後方向に沿って延びる。第一板状部２２１と第二板状部２２２は前後方向に並んでおり、より詳細には、第二板状部２２２は、第一板状部２２１の前端から、前側且つ左側に向けて延びる。第一板状部２２１の厚さと第二板状部２２２の厚さは、互いに略同じであり、特定壁部１３７と基部１３３とが互いに対向する距離よりも僅かに薄い。第一板状部２２１の左面と第二板状部２２２の左面とがなす角度のうちで小さい方の角度（図１１のθに相当する角度）は鈍角である。一対の支持部２５７は、第一板状部２２１から上方に突出しており、前後方向に沿って並ぶ。各支持部２５７は、前後方向に開口する円形状の支持孔２５７Ａを有する（後側の支持孔２５７Ａの図示省略）。一対の支持部２５７の間に形成される通過孔２９９は、第一壁部１３１と特定壁部１３７とが通過可能な孔である。
【００６４】
第一板状部２２１は係合部２２９を備える。本例の係合部２２９は、第一板状部２２１の下部を厚さ方向に貫通する矩形状の孔である。第一板状部２２１と同様に、第二板状部２２２は、係合部２２９を備える。第一基体部１１０の爪部１３６は、いずれかの係合部２２９に対して選択的に係合する（図８、図１２参照）。
【００６５】
第一板状部２２１は一対の凸部２６１を備える。一対の凸部２６１は、係合部２２９を間にして、第一板状部２２１の長手方向に並ぶ。本例の凸部２６１は、第一板状部２２１から右側に向けて突出し、且つ上下方向に直線状に延びる。一対の凸部２６１の一方から他方への最短距離（図１０の寸法Ｈ１）は、基部１３３の前後方向長さ（図９の寸法Ｈ２）よりも、僅かに長い。第一板状部２２１と同様に、第二板状部２２２は一対の凸部２６１を備える。一対の凸部２６１は、係合部２２９を間にして、第二板状部２２２の長手方向に並ぶ。第二板状部２２２が有する凸部２６１の構成の詳細は省略する。
【００６６】
図１１に示すように、配置基部２２０は、第二壁部２３２を更に備える。第二壁部２３２は、第一板状部２２１の下端から左側に向けて延びる。第二壁部２３２の後端には、装着具固定部４０が設けられる。第三実施例においても、装着具固定部４０の第一部位４１と第二部位４２のいずれか一方が、一対の対向部５Ｄ（図４参照）の間に選択的に差し込まれる。
【００６７】
図８、図１１、図１２を参照し、第一基体部１１０の第二基体部２００に対する装着位置について説明する。第一基体部１１０は、第一特定装着位置（図８参照）と第二特定装着位置（図１２参照）のいずれかで装着される。第一特定装着位置は、第一板状部２２１に装着される第一基体部１１０の位置である。第一基体部１１０が第一装着位置にて装着される場合、第一壁部１３１は、第一板状部２２１に対して上方から接触し、且つ、第一板状部２２１よりも左側まで延びる。このとき、特定壁部１３７（図９参照）は、第一板状部２２１を間にして基部１３３と対向しており、且つ第一壁部１３１から第二壁部２３２に向けて延びる。また、第一軸１１は、装着具固定部４０の開口部４３を通過する。さらに、基部１３３は、一対の凸部２６１の間で第一板状部２２１に対して右側から接触し、爪部１３６は、第一板状部２２１の係合部２２９と係合し、操作部１３９は、第一板状部２２１よりも下方に配置される。第二特定装着位置は、第二板状部２２２に装着される第一基体部１１０の位置である。第一基体部１１０が第二特定装着位置にて装着される場合、第一壁部１３１は、第二板状部２２２に対して上方から接触し、且つ第二板状部２２２よりも左側まで延びる。このとき、特定壁部１３７は、第二板状部２２２を間にして基部１３３と対向する。さらに、基部１３３は、一対の凸部２６１の間で第二板状部２２２に対して右側から接触し、爪部１３６は、第二板状部２２２の係合部２２９と係合し、操作部１３９は、第二板状部２２２よりも下方に配置される。
【００６８】
図８を参照し、挿通保持部２７０を説明する。挿通保持部２７０は、基体部１３０とは別体の板状部材である。挿通保持部２７０は、連結部２７１、挿通部２３９、及びケーブル保持部２５０を備える。連結部２７１は、一対の支持部２５７の間に配置され、且つ、通過孔２９９よりも上方に配置される。連結部２７１は、一対の嵌合部（図示外）を備える。一対の嵌合部は、前後方向の外側に向けて突出しており、円柱状に形成される。一対の嵌合部が、それぞれ、一対の支持孔２５７Ａに嵌ることで、挿通保持部２７０は、一対の支持部２５７によって支持される。
【００６９】
挿通部２３９は、正面視で略Ｃ字状に形成され、第二壁部２３２（図１１参照）の真上に配置される。挿通部２３９の右下部は、連結部２７１の左部と連結する。挿通部２３９は、左右方向に開口する孔部２３９Ａと、前後方向に開口する挿通孔２３９Ｂを備える。孔部２３９Ａは、バンド６（図１参照）が通過可能な形状を呈する。挿通孔２３９Ｂには、孔部２３９Ａを通過したバンド６が配置される。挿通部２３９は、バンド６によって被覆部５Ａ（図１参照）に押し当てられる。
【００７０】
ケーブル保持部２５０は、正面視で略Ｕ字状に形成され、挿通部２３９の上方に配置される。ケーブル保持部２５０は、前後方向に延びる。ケーブル保持部２５０は、上下方向に開口する第一開口部２５１と、前後方向に開口する第二開口部２５２とを備える。第一開口部２５１は、ケーブル９３が通過可能な形状を呈する。第一開口部２５１の左右方向における開口量は、ケーブル保持部２５０の左右方向に沿った変形に伴って増減する。第二開口部２５２は、第一開口部２５１よりも下側に設けられる。第二開口部２５２が、ケーブル９３を束ねることによって、ケーブル保持部２５０は、ケーブル９３を保持する。保持されたケーブル９３の一端は、ＨＭＤ１０の差込口１０Ａに接続される（図６参照）。第三実施例では、ケーブル９３の他端は、被覆部５Ａの後部にて保持されたコントロールボックス９２（図６参照）に接続される。第三実施例では、コントロールボックス９２の図示は省略される。
【００７１】
図８、図９、図１１を参照し、第一基体部１１０の装着位置を変更する方法を説明する。装着位置の変更前、第一基体部１１０は、第一特定装着位置にて装着されている（図８参照）。
【００７２】
使用者は、指を操作部１３９に引っ掛けて、基部１３３を右側に押す。基部１３３は、上端部を支点として、右側に向けて撓む（図８の矢印Ｆ１）。これにより、爪部１３６が第一板状部２２１の係合部２２９から外れ、第一基体部１１０は、上方へ移動可能となる。使用者は。第一基体部１１０を一対の凸部２６１に沿って上方へ移動させる。第一壁部１３１と特定壁部１３７は、通過孔２９９を通過して、第一板状部２２１に対して右上方まで移動する（図示略）。これにより、第一基体部１１０は、第二基体部２００から外れる。
【００７３】
使用者は、特定壁部１３７を第二板状部２２２よりも左側に配置させながら、基部１３３を、第二板状部２２２の一対の凸部２６１のそれぞれの上部の間に進入させる（図１１参照）。このとき、使用者は、操作部１３９に指を引っ掛けて右側に付勢しており、基部１３３は上端部を支点として右側に撓んでいる。爪部１３６が係合部２２９よりも上方で第二板状部２２２の右面に押し当たる状態で、使用者は、基部１３３を、一対の凸部２６１に沿って下方に移動させる。第二板状部２２２の係合部２２９と同じ上下位置まで下降した爪部１３６は、撓んだ状態にある基部１３３の復元力によって、係合部２２９に入り込む。これにより、基部１３３の上下動は規制される。このとき、第一壁部１３１は、第二板状部２２２の上端に接触し、第一基体部１１０は、第二特定装着位置に装着される。
【００７４】
第一基体部１１０の装着位置を、第二特定装着位置から第一特定装着位置に変更する方法も上記と同様であるので、その詳細な方法の説明は省略する。また、バンド６を、挿通部２３９に挿入する方法についても、第一実施例と同様であるので省略する。
【００７５】
以上説明したように、第三実施例の装着具３では、第一基体部１１０は、第一特定装着位置と第二特定装着位置のいずれの位置でも、第二基体部２００に対して装着可能となる。つまり、装着対象物の一例である帽体５に安定的に装着された状態の装着具３を着脱することなく、帽体５に対する相対的な装着位置を容易に切り替えることができる。
【００７６】
第一板状部２２１と第二板状部２２２は、それぞれ、一対の凸部２６１を備える。第一基体部１１０の装着位置が変更されるとき、基部１３３は、一対の凸部２６１に沿って移動する。即ち、一対の凸部２６１は、下方に向けた基部１３３の移動を案内する。これにより、使用者は、爪部１３６が係合部２２９と係合できる上下位置に基部１３３を配置させ易くなる。よって、装着具３の位置決めが容易であり、かつ安定的に装着具３を固定することができるため、ＨＭＤ１０の視認性が高くなる。
【００７７】
第二板状部２２２は、第一板状部２２１から前側且つ左側に向けて延びる。基部１３３の装着位置が第一特定装着位置と第二特定装着位置との間で切り替わるときのＨＭＤ１０の位置の変化は、第二板状部２２２が第一板状部２２１から前側且つ右側に延びる実施例に比べて、小さくなる。従って、基部１３３の第二基体部２００に対する装着位置が切り替わっても、ＨＭＤ１０は使用者の目から離れにくい。よって、装着具３の位置決めが容易であり、かつ安定的に装着具３が固定されるため、ＨＭＤ１０の視認性が高くなる。
【００７８】
装着具３は上記実施例に限定されない。係合部２２９は、第二壁部２３２とは反対側に向けて開口していればよく、例えば右側に向けて開口する凹部であってもよい。凸部２６１は、上下方向に直線状に延びる代わりに、例えば半球状であってもよい。操作部１３９は、基部１３３の左面から右方に凹む凹部であってもよい。操作部１３９は、基部１３３と別体に形成されてもよい。
【００７９】
第二基体部２００は、第三板状部（図示略）を備えてもよい。第三板状部は、第一板状部２２１の後端部から、例えば、後側且つ左側に延びる。第一板状部２２１と同様に、第三板状部は、係合部２２９と一対の凸部２６１を備えてもよい。これにより、第一基体部１１０は、第三板状部に対して装着可能となる。
【符号の説明】
【００８０】
１、２、３        装着具
５                帽体
５Ｄ              対向部
９                アーム
１０              ＨＭＤ
１１              第一軸
１５              アーム連結部
３０、１３０      基体部
３１、１３１      第一壁部
３２、２３２      第二壁部
３２Ａ            両端部
３３、１３３      基部
３４              延設部
３５              突起部
４０              装着具固定部
４１              第一部位
４２              第二部位
４３              開口部
４７              対向面
４８              両端部
５０              連結部
１３６            爪部
１３７            特定壁部
２２０            配置基部
２２１            第一板状部
２２２            第二板状部
２２９            係合部
２６１            凸部
【図１】
2020061607.tif 000003
【図２】
2020061607.tif 000004
【図３】
2020061607.tif 000005
【図４】
2020061607.tif 000006
【図５】
2020061607.tif 000007
【図６】
2020061607.tif 000008
【図７】
2020061607.tif 000009
【図８】
2020061607.tif 000010
【図９】
2020061607.tif 000011
【図１０】
2020061607.tif 000012
【図１１】
2020061607.tif 000013
【図１２】
2020061607.tif 000014